(57)【特許請求の範囲】
【請求項１】
遊技のための回路基板が収納されて、ボックスベースとボックスカバーとを備えた基板ボックスを組み付けた遊技機であって、
前記基板ボックスの一側部に設けられる札片取付部と、
その札片取付部に組み付けられる札片切断部材と、
その札片切断部材が内側に位置するようにして前記札片取付部に取り付けられる札片と、
その札片の外側を覆って前記札片取付部に取り付けられるカバーとを備え、
前記札片切断部材が前記札片取付部から外される場合に前記札片切断部材が前記札片に接触して前記札片が破損するように構成され、
前記カバーの内側に、前記札片取付部側に形成される係止部に係合するカバー内側係止部が設けられていることを特徴とする遊技機。
【請求項２】
前記遊技機は、パチンコ機であることを特徴とする請求項１に記載の遊技機。
【発明の詳細な説明】
【技術分野】
【０００１】
本発明は、パチンコ機、「アレパチ」とも呼ばれているアレンジパチンコ機、スロットマシン、パチンコ球を使用したスロットマシン等の遊技機に関し、特に識別情報や製造番号等の各種情報を記録した札片を取り付けるようにした遊技機に関するものである。
【背景技術】
【０００２】
ホールなどにおいて、遊技機を新規に設置する場合には、当該遊技ホールの管理者などによって、製造メーカから出荷され納品された遊技機個々に各種ＩＤ情報の確認が行われる。
【先行技術文献】
【特許文献】
【０００３】
【特許文献１】特開２００７−３３０２７６号公報
【発明の概要】
【発明が解決しようとする課題】
【０００４】
本発明の目的とするところは、札片切断部材によって札片が破損し易く構成された遊技機を提供することにある。
【課題を解決するための手段】
【０００５】
請求項１記載の遊技機では、遊技のための回路基板が収納されて、ボックスベースとボックスカバーとを備えた基板ボックスを組み付けた遊技機であって、前記基板ボックスの一側部に設けられる札片取付部と、その札片取付部に組み付けられる札片切断部材と、その札片切断部材が内側に位置するようにして前記札片取付部に取り付けられる札片と、その札片の外側を覆って前記札片取付部に取り付けられるカバーとを備え、前記札片切断部材が前記札片取付部から外された場合には前記札片が破損するように構成され、前記カバーの内側に、前記札片取付部側に形成される係止部に係合するカバー内側係止部が設けられている。なお、札片としては、「証紙ラベル」、「識別シール」等が例示される。
【発明の効果】
【０００６】
請求項１記載の遊技機によれば、札片切断部材によって札片が破損し易く構成された遊技機を提供することができる。
【図面の簡単な説明】
【０００７】
【図１】本発明に係る遊技機の正面図である。
【図２】同遊技機の背面図である。
【図３】同遊技機の遊技盤裏面の様子を示す斜視図である。
【図４】図３の下側に示してある基板ボックスを開放したときの斜視図である。
【図５】遊技盤裏面を部分的に分解して示した分解斜視図である。
【図６】遊技盤の前方側から示した分解斜視図である。
【図７】本発明の第１実施例を示し、（ａ）は基板ボックスの一側部から札片切断部材、札片及びカバーを外した様子を示した分解斜視図、（ｂ）は組み付け後の斜視図である。
【図８】同札片切断部材を、（ａ）〜（ｄ）の４種類の方向から見た拡大斜視図である。
【図９】同カバーを、（ａ）〜（ｄ）の４種類の方向から見た拡大斜視図である。図７とは反対側から見た部分分解斜視図である。
【図１０】本発明の第１実施例であって、分解した基板ボックスの一側部から札片切断部材、札片及びカバーを外した様子を示した分解斜視図である。
【図１１】図１０に示したものを反対側からみた分解斜視図である。
【図１２】基板ボックスの一側部からカバーを外し（ａ）、さらに札片を外した時（ｂ）の斜視図である。
【図１３】同札片切断部材をピボット回動したときの様子を示す部分斜視図である。
【図１４】図１３の場合をボックスカバーとの関連で見たもので、（ａ）は部分背面図、（ｂ）は同斜視図である。
【図１５】本発明の第２実施例に係る基板ボックスの一側部を示す部分斜視図である。
【図１６】図１５に示したものを部分的に示すもので、（ａ）は拡大側面図、（ｂ）は（ａ）中の１−１線に沿ってみた縦断面図である。
【図１７】同基板ボックスの一側部からカバーを外し、札片切断部材をピボット回動したときの様子を示す部分拡大断面図。
【図１８】図１７に示したものの部分斜視図である。
【図１９】基板ボックスの一側部を拡大した部分分解斜視図である。
【図２０】図１９とは反対側から見た部分分解斜視図である。
【図２１】札片として採用されるＩＣタグを示すもので、（ａ）は平面図、（ｂ）は部分拡大平面図である。
【発明を実施するための形態】
【０００８】
以下、上記課題を解決するための他の手段について課題及び効果を付して説明し、その後に実施の形態を説明する。
【０００９】
近年の遊技機は、非常に精密な電子部品を組み込んだり、あるいは精緻な型成型を行った部品を使用したりしなければならず、全ての部品を一箇所で形成することは不可能になってきている。そこで、各種部品を異なる場所、言い換えればその技術が得意な部品メーカーで製造し、これを出願人のようなセットメーカーで完成品として組立てることが行われており、これによって製造コストの低減が図られるようになってきているのである。
【００１０】
また、遊技機においては、当該遊技機ごと、あるいは主制御装置のようなパチンコ遊技のための回路基板ごとに、各種のＩＤ情報（識別情報）が付されており、それら各ＩＤ情報により遊技機やこれに採用されている回路基板の管理が可能となっている。各種のＩＤ情報としては、以下に述べるように、（１）〜（６）が現在採用されている。（例えば特開２００７−３３０２７６号公報、段落０１５５〜段落０１５８参照）
（１）遊技盤用の証紙ラベルに記された遊技盤ＩＤ情報
遊技盤用の証紙ラベルは、例えば遊技盤に貼付され、遊技盤ＩＤ情報として遊技盤の製造メーカ名（例えば、（株）××物産）、遊技機製造番号（例えば、No.１２３４５６７）、及びそれらの各データを二次元コード化したＱＲコード（登録商標）が記されている。
（２）枠用の証紙ラベルに記された枠ＩＤ情報
枠用の証紙ラベルは、遊技盤等を開閉可能に支持する本体枠に貼付され、枠ＩＤ情報として本体枠の製造メーカ名（例えば、（株）××物産）、遊技機製造番号（例えば、No.１２３４５６７）、及びそれらの各データを二次元コード化したＱＲコード（登録商標）が記されている。
（３）識別シールに記された主基板ＩＤ情報
識別シールは、主制御装置等の回路基板を収納する基板ボックスに貼付され、（主）基板ＩＤ情報として製造メーカコード（例えば、ＳＹ−Ｆ）、製造番号（例えば、No.１２３４５６７）、及びそれらの各データを二次元コード化したＱＲコード（登録商標）が記されている。
（４）識別シールに記された遊技機ＩＤ情報
識別シールは、主制御装置等の回路基板を収納する基板ボックスに貼付され、遊技機ＩＤ情報として製造メーカ名（例えば、（株）××物産）、機種名（例えば、××物語）、機種コード（例えば、１２３４５Ａ）、及びそれらの各データを二次元コード化したＱＲコード（登録商標）が記されている。
（５）ＩＣタグのタグＩＤ情報
ＩＣタグは、主制御装置等の回路基板を収納する基板ボックス等の封印シールに組み付けられ、タグＩＤ情報として製造メーカ名（又は複数のメーカごとに付されたメーカ固有番号）、遊技機固有のＩＤ番号が格納されている。
（６）マイコンチップに格納されたチップＩＤ情報
マイコンチップは、主制御装置等の回路基板に実装され、チップＩＤ情報としてチップ固有番号等が記憶されている。
【００１１】
上記（１）〜（６）の各情報は、製造メーカにおいて遊技機の製造段階ですべて遊技機ごとに付与され、ラベルや封印シール等（以下では、総称して札片という）の貼付が行われる。ただし、上記（６）のチップＩＤ情報に関しては、遊技機製造メーカでなく、チップ製造メーカにおいてチップ固有番号等の書き込みが行われる。そして遊技機の組立完了後には、遊技機が梱包され、遊技ホールなど、指定の供給先に出荷される。かかる場合において、上記（１）〜（６）の各情報は、製造メーカで遊技機ごとに対応させて遊技機管理データとして登録され、非公開データとして記憶保持される。このとき、遊技機管理データとして、遊技機ごとに出荷先、出荷日時に関する出荷データも併せて登録される。
【００１２】
ホールなどにおいて、遊技機を新規に設置する場合には、当該遊技ホールの管理者などによって、製造メーカから出荷され納品された遊技機個々に各種ＩＤ情報の確認が行われる。このとき、スキャナ装置を用いて各種ＩＤ情報の読み取りが行われるとともに、その読み取った各種ＩＤ情報が前記遊技機管理データと照合され、遊技機が真正品であるか否かなどの確認（認証）が行われる。これにより、遊技機の搬送途中において当該遊技機が不正品に差し替えられたりしても、その不正品の判定が可能となる。また、遊技機の新規設置時以外にも、遊技機稼働開始後における定期又は不定期の遊技機チェック時や、主基板交換時、遊技盤交換時（板替え時）などにおいても同様に、上記ＩＤ情報の読み取り及び照合などが適宜行われる。
【００１３】
ただし、上記（１）〜（６）の各情報のうち、遊技ホールの管理者などによって読み取られるＩＤ情報は（１）〜（５）の情報であり、（６）の情報に関しては、特定の遊技機認証機関（警察機関等）において読み取られる情報となっている。
【００１４】
ところで、上記の回路基板については、遊技機の他の大部分はそのまま利用しながら、例えば遊技内容を少し変更するため（上記板替え）に、上述した部品メーカーやセットメーカーなどにおいて新たな回路基板に交換する場合があるが、その場合に、旧回路基板の上述したような各種のＩＤ情報や識別情報を付した旧札片を完全に破棄して、新回路基板のＩＤ情報や識別情報を付した新札片を張り直さなければならない。
【００１５】
ところが、札片そのものは、回路基板のＩＤ情報や識別情報を付した重要なものであるから、しっかりと取り付けられているものであるのが一般であって、旧札片の完全な破棄や除去、あるいは無効にすることは困難であることが多い。
【００１６】
そこで、本発明者等は、不要になった札片の完全な破棄や除去、あるいは無効処理を簡単にすることができるようにするにはどうしたらよいか、について種々検討を重ねてきた結果、本発明を完成したのである。
【００１７】
すなわち、本発明の目的とするところは、不要になった札片の完全な破棄や除去、あるいは無効処理を簡単に行うことのできる遊技機を提供することにある。
【００１８】
以上の課題を解決するために、まず、発明１の採った手段は、パチンコ遊技のための回路基板が収納されて、ボックスベースとボックスカバーとを備えた基板ボックスを、遊技盤の裏面側に組み付けた遊技機であって、前記基板ボックスの一側部に設けた札片取付部と、この札片取付部に組み付けた札片切断部材と、この札片切断部材を内包して前記札片取付部に取り付けた札片と、この札片を覆って前記札片取付部に取り付けたカバーとを備えたことである。
【００１９】
この発明１の遊技機では、パチンコ遊技のための回路基板が収納されて、ボックスベースとボックスカバーとを備えた基板ボックスの一側部に札片取付部が形成されていて、この札片取付部に札片が取り付けてある。この遊技機において使用される札片としては、「証紙ラベル」、「識別シール」、図２１に示すような「Ｉ回路基板タグ」、そして「マイコンチップ」等が考えられるが、本発明で述べている札片は、基板ボックスの一側部に形成した札片取付部に取り付けられるのであれば、これらの全てを含むものである。
【００２０】
この発明１の遊技機によれば、前記基板ボックスの一側部に設けた札片取付部に取り付けた札片が前記カバーによって覆われているから、例えば、ホールに設置された当該遊技機のトラブル解消のために、札片が取り付けてある基板ボックスをホール通路側に開放してホール店員が触れたとしても、札片はカバーによって損傷が与えられないように保護される。なお、札片を覆っているカバーが透明または版透明材料によって形成されていれば、札片の状態を外部から簡単に視認し得る。
【００２１】
また、この発明１の遊技機によれば、前記基板ボックスの一側部に設けた札片取付部に組み付けられて、前記札片取付部に取り付けた札片に内包された札片切断部材を有しているのであるから、この札片切断部材を前記札片取付部から外すことによって、前記札片を破損させることができる。何故なら、前記札片は、当該札片切断部材を内包した状態で前記札片取付部に取り付けられているからである。
【００２２】
この前記札片切断部材による札片の破断は、前記札片切断部材を前記札片を引き裂きながら行えるため、人の指先だけの力で行うことができて、容易に完了するものである。一般的に、この種の札片は、所謂「紙」を主体として形成したものだからである。また、前記札片が破断することによって、当該札片の引き剥がしのための「キッカケ」ができるから、この「キッカケ」を摘んで引き剥がせば、当該札片の剥離も容易に行えることになる。
【００２３】
この場合、前記札片が、破損されることで無効となる封印シールのようなものであれば、この破損自体で次の新しい回路基板の交換が可能な状態になっていることが分かる。また、この札片が後述するようなアンテナ部を有するものであれば、当該札片の破損によってアンテナ部も破損するから、当該札片の無効処理が行われる。
【００２４】
従って、この発明１に係る遊技機によれば、不要になった札片の完全な破棄や除去、あるいは無効処理を簡単に行うことができるものとなっているのである。
【００２５】
上記課題を解決するために、発明２に係る手段は、前記札片を、前記札片取付部を跨いで取り付けるようにしたことである。ここで、「札片が前記札片取付部を跨ぐ」とは、前記札片取付部が単数の場合は、札片が前記札片取付部の端部を包み込んで跨ぐことを意味し、前記札片取付部が複数の場合は、札片が前記札片取付部の端部の合わせ目を跨ぐことを意味する。
【００２６】
この発明２の遊技機によれば、「札片が前記札片取付部を跨ぐ」ようにしたから、その内側になっている前記札片切断部材の動きを自由にするだけでなく、当該札片切断部材による札片の破損を、より小さな力で行えるのである。
【００２７】
次に、発明３の採った手段は、前記札片切断部材を、前記札片取付部に取り付けた前記札片に向かう刃部を有したものとしたことである。
【００２８】
この発明３の遊技機では、前記札片切断部材を前記札片の外側に向けて動かすことにより、当該札片に向かっていた前記刃部によって当該札片が簡単に切断、つまり破断される。
【００２９】
また、発明４の手段は、前記札片切断部材を、一部に指掛け部を有したものとしたことである。
【００３０】
この発明４の遊技機によれば、前記札片切断部材が一部に指掛け部を有しているから、前記札片の破断をする際に、当該指掛け部に指を掛ければ、前記札片切断部材の動かしを簡単に行えるのである。従って、前記札片切断部材による前記札片の破断をより一層簡単に行えるのである。
【００３１】
その他の手段１：
前記札片取付部に対しては、前記札片切断部材の一部でのピボット回動が可能となるようにすることができる。
【００３２】
この他の手段１を採用した遊技機によれば、前記札片切断部材が前記札片取付部に対してピボット回動し得るのであるから、前記札片の破断をその一端から順に行うことができて、当該札片の破断操作をよりし易くすることになる。つまり、前記札片は、一端から順に破断されることになって、小さな力でもその破断が行えるのである。
【００３３】
その他の手段２：
また、前記札片取付部は、前記ボックスベース及びボックスカバーの各一側部にそれぞれ一体的に形成されて、前記回路基板を前記ボックスベースとボックスカバーとの間に収納してこれらのボックスベースとボックスカバーとを一体化したときに重なり合うものとすることができる。
【００３４】
この他の手段２に係る遊技機では、前記札片取付部を、前記ボックスベース及びボックスカバーの各一側部にそれぞれ一体的に形成したから、前記札片取付部を、前記ボックスベース及びボックスカバーの製造時に同時に形成できて、前記基板ボックスの製造を容易なものにする。
【００３５】
また、この他の手段２の遊技機では、前記各札片取付部を、前記ボックスベースとボックスカバーとを一体化したときに重なり合うものとしたから、前記各札片取付部における前記札片の取付箇所あるいは取付面積を小さなものとし得て、前記札片の取付けを容易にし得るのである。
【００３６】
以上、説明各発明においては、
「パチンコ遊技のための回路基板が収納されて、ボックスベースとボックスカバーとを備えた基板ボックスを、遊技盤の裏面側に組み付けた遊技機であって、
前記基板ボックスの一側部に設けた札片取付部と、この札片取付部に組み付けた札片切断部材と、この札片切断部材を内包して前記札片取付部に取り付けた札片と、この札片を覆って前記札片取付部に取り付けたカバーとを備えたこと」
にその構成上の主たる特徴があり、これにより、不要になった札片の完全な破棄や除去、あるいは無効処理を簡単に行える遊技機を提供することができる。
【００３７】
次に、上記各発明を、図面に示した実施の形態である遊技機１００について説明するが、この実施形態の遊技機１００は、上記各発明の全てを含むものである。
【００３８】
特に、図１〜図６には、本発明が適用された遊技機１００の基本構造が示してあり、図７〜図１４には、第１実施例に係る札片切断部材４７を採用した実施形態が、また、図１５〜図２０には、第２実施例に係る札片切断部材４７を採用した実施形態が示してある。そこで、まず、遊技機１００の基本構造を図１〜図６を参照して説明していき、その後に、第１実施例及び第２実施例の順に説明することとする。
【００３９】
そして、図２１には、札片５０としてアンテナ部５３を有するタイプのものの例が示してあって、この札片５０を使用したのが上記第１実施例及び第２実施例であるが、本発明はこのようなアンテナ部５３を有する札片５０に限定されるものではないことは言うまでもない。
【００４０】
（基本構成）
図１には、本発明を適用した遊技機１００の正面図が示してある。この遊技機１００は、ホール（パチンコ店）の島を構成している土台部分に立設される外枠１０を有しているものであり、この外枠１０に対しては、図２に示したように、図示右側の上下に設けた枢軸１２によって、本体枠１１が開閉自在に取り付けてある。なお、外枠１０には、図１にも示したように、ガラスを支持した前面枠１３が開閉自在に取り付けられるものである。
【００４１】
外枠１０に対して上下の枢軸１２によって連結した本体枠１１には、図１及び図２に示したように、前面側にパチンコ遊技領域を形成した遊技盤２０が取り付けてある。この遊技盤２０の裏面には、図２及び図３に示したように、裏パックユニット３０や基板ボックス４０が取り付けてあり、本実施形態では、図４に示したように、基板ボックス４０の下側にスペーサボックス６０を配置し、このスペーサボックス６０の内側に球集合板７０を配置するようにしてある。
【００４２】
ここで、図２に示した基板ボックス４０の図示右側側部（当該遊技機１００の正面側から見れば左側になる）を「一側部」と言うこととし、この一側部とは反対側、つまり、図２に示した基板ボックス４０の図示左側側部を「他側部」ということとする。
【００４３】
基板ボックス４０は、図７及び図８に示したように、遊技盤２０側に配置されるボックスベース４０ａと、このボックスベース４０ａに嵌合されるボックスカバー４０ｂとからなり、これらのボックスベース４０ａ及びボックスカバー４０ｂによって形成される空間内には、図７に示したように、回路基板４０ｃが収納されるものである。これらのボックスベース４０ａ及びボックスカバー４０ｂは、非磁性体材料、つまり合成樹脂によってそれぞれ一体成形したものであり、特に本実施形態のボックスカバー４０ｂについては、当該基板ボックス４０内の外部からの視認を容易にするために、透明または半透明の合成樹脂材料によって形成してある。
【００４４】
また、この基板ボックス４０には、図３に示したように、その図示左側側縁（他側部）に５個の第１封止部４３が、また右側側縁（一側部）には、図７に示したように、２個の第２封止部４４が形成してある。なお、本実施形態に係る基板ボックス４０では、そのボックスカバー４０ｂが、ボックスベース４０ａに対して横方向からスライド嵌合されるものであるが、これらのボックスベース４０ａ及びボックスカバー４０ｂの嵌合方法は、上下方向からスライド嵌合できるようにしたり、あるいは蝶番などで開閉できるように実施してもよいものである。
【００４５】
そして、この基板ボックス４０は、図４に示したように、その裏面の一方側に取り付けられるベース部材４１を介して、球集合板７０側に取り付けたヒンジ金具４２により、球集合板７０、従って遊技盤２０に対して、図３から図４に示したような開閉が自在に行えるように連結したものである。
【００４６】
ベース部材４１は、図４にも示したように、枢軸１２とは反対側部分になる基板ボックス４０の裏面に、固定後に外すことができなくなるワンウエイネジや破断ネジによって一体的に取り付けられるものであり、図５に示したように、基板ボックス４０を構成するボックスベース４０ａの裏面（遊技盤２０側になる面）に取付けられるものである。
【００４７】
すなわち、このベース部材４１は、ボックスベース４０ａの裏面側に、挟持板とこれによってベース部材４１に一体化される係止金具とを介在させた状態で取り付けられるものである。この場合、ボックスベース４０ａの裏面に形成してある係止突起によって、当該ベース部材４１の位置決めがなされる。
【００４８】
ベース部材４１をボックスベース４０ａの裏面に取り付けるにあたって挟持された係止金具は、ヒンジ金具４２の先端の抜け止めと固定を行うものであり、金属製のものである。すなわち、この係止金具は、ヒンジ金具４２が差し込まれたときに、その先端を係止するものであり、これによってヒンジ金具４２の基板ボックス４０からの抜け止めを行うものである。
【００４９】
ヒンジ金具４２は、図３及び図４に示したようなものであり、球集合板７０の内側に差し込まれたヒンジ取付具の先端に、例えば金属製のリベットや枢軸によって回動自在に連結されるものである。勿論、球集合板７０は遊技盤２０の裏面に固定されるものであるから、以上のヒンジ取付具及びヒンジ金具４２によって球集合板７０に連結された基板ボックス４０は、遊技盤２０の裏面に取り付けられることになり、図４に示したような開閉が自由に行えるものとなる。
【００５０】
さて、この基板ボックス４０の左右両側縁には、図３及び図７に示したように、第１封止部４３及び第２封止部４４がそれぞれ形成してある。これらの第１封止部４３及び第２封止部４４は、実際には基板ボックス４０を構成しているボックスベース４０ａ及びボックスカバー４０ｂの左右両端縁に一体的に形成されるものであり、従って非磁性材料からなるものである。なお、これらの第１封止部４３及び第２封止部４４を封止したときには、回路基板４０ｃからの配線を引き出すための穴が、ボックスベース４０ａ及びボックスカバー４０ｂの何れか少なくとも一方に形成される。
【００５１】
これらの第１封止部４３及び第２封止部４４は、図に示した実施形態では、それぞれ５個及び２個形成してあり、それぞれ独立したものとしてある。勿論、これらの第１封止部４３及び第２封止部４４の数や大きさは、適宜選定できるものである。
【００５２】
まず、第１封止部４３については、ボックスベース４０ａ及びボックスカバー４０ｂの、ヒンジ金具４２側の側部にそれぞれ一体的に形成されて、互いにボックスベース４０ａとボックスカバー４０ｂとを閉じたとき重なり合うベース側封止部及びカバー側封止部と、これら重なり合ったベース側封止部及びカバー側封止部間に挿入されて、両者間の離間を阻止する封止金具とにより構成してある。
【００５３】
すなわち、この実施形態の遊技機１００では、その第１封止部４３の構成をボックスベース４０ａ及びボックスカバー４０ｂのヒンジ部材側の側部に、ベース側封止部及びカバー側封止部をそれぞれ一体的に形成したものである。これらのベース側封止部及びカバー側封止部は、ボックスベース４０ａとボックスカバー４０ｂとを閉じたとき、互いに重なり合うものである。
【００５４】
これら重なり合ったベース側封止部及びカバー側封止部間に封止金具が挿入されたとき、この封止金具によって両者間の相対移動が阻止されることになる。そして、本実施形態では、封止金具と係合する二本の係止突起を有するストッパがベース側係止部内に収納してあり、このストッパ内に封止金具が挿入されることにより、二本の係止突起がベース側係止部内で少し開いて、このストッパがカバー側係止部側に係合するようにしてある。
【００５５】
もし、この第１封止部４３の封止を解いて、内部の回路基板４０ｃの不正交換を行った場合には、この封止を解いた状況（破壊や溶融した跡）が第１封止部４３のどこかに残るはずである。この跡が残っていれば、回路基板４０ｃの不正交換が行われたことを示すものであるから、この第１封止部４３の状況によって不正をチェックすることができる。
【００５６】
各第１封止部４３の封止において金属製の封止金具を使用したとしても、この第１封止部４３は基板ボックス４０の札片５０とは反対側に位置しているから、これらの封止金具によって電磁波が吸収されてしまうという悪影響を、アンテナ部５３を有するタイプの札片５０に与えることはない。
【００５７】
一方、各第２封止部４４については、本実施形態の場合、ボックスベース４０ａ及びボックスカバー４０ｂ側のそれぞれについて、図示はしていないが、スライド嵌合し合った場合に互いに係合する穴、またはこの穴に係合する爪（係合突起）が形成してある。当該係合突起を形成した第２封止部４４は、合成樹脂によってボックスベース４０ａまたはボックスカバー４０ｂと一体成形したものであるから、この係合突起はある程度の弾性を有したものとなっている。
【００５８】
この第２封止部４４には、これに形成した係合突起を外部から視認できる開口が形成してあるから、当該第２封止部４４における係合突起による封止を外したい場合には、この係合突起を「キー」等を使用して押し込み、穴と爪との係合を解くようにするのである。
【００５９】
さて、本実施形態の基板ボックス４０は、図７及び図８に示したように、遊技盤２０の裏面側に固定されるボックスベース４０ａと、このボックスベース４０ａに上述した封止部４３及び４４等を利用して取り付けられるボックスカバー４０ｂとを備えているもので、これらのボックスベース４０ａ及びボックスカバー４０ｂの間には回路基板４０ｃを収納できる空間が形成される。
【００６０】
これらのボックスベース４０ａ及びボックスカバー４０ｂの各一側部、つまり、図７及び図１５の図示右側部には、札片取付部４５ａ及び札片取付部４５ｂがそれぞれ一体的に形成してあり、これらの札片取付部４５ａ及び札片取付部４５ｂは、回路基板４０ｃを収納してボックスベース４０ａとボックスカバー４０ｂとを一体化したとき、互いに重なり合うものである。
【００６１】
また、これらの札片取付部４５ａ及び札片取付部４５ｂには、図７及び図１５に示したように、２個の第２封止部４４の間で図示右方向に突出するものであり、それぞれ固定ネジ４８用のネジ穴４８ａがそれぞれ形成してあって、このネジ穴４８ａを利用して、図７中の仮想線にて示したように、固定ネジ４８が取り付けられるものであり、これにより、これらの札片取付部４５ａ及び札片取付部４５ｂは重なり合った状態で固定されるのである。また、これらの札片取付部４５ａ・４５ｂの上下端部には、後述する札片切断部材４７のＦが挿入される隙間が形成できるようにしてあり、これらの札片取付部４５ａ・４５ｂのその他の面は、後述する札片５０を貼付し易くするために、平面としてある。
【００６２】
札片５０が跨いだ状態で貼付された札片取付部４５ａおよび札片取付部４５ｂには、例えば図７に示したように、カバー４６が取り付けられる。カバー４６は、両札片取付部４５ａ・４５ｂとこれに貼付した札片５０の全体を包み込みながら基板ボックス４０の一側部に取り付けられるものである。
【００６３】
さて、札片５０であるが、本実施形態では、図２１に示したような構成のものを採用している。つまり、この札片５０は、図２１の（ａ）に示したように、札片取付部４５ａ・４５ｂに貼付できるようにした矩形状のベースシート５１と、このベースシート５１の表面の対角線上に取り付けた長尺なアンテナ部５３と、このアンテナ部５３の中心部に設けたＩＣチップ５２とからなるものである。
【００６４】
つまり、このＩＣチップ５２は、ベースシート５１の点対称位置に設けたものであり、当該札片５０を基板ボックス４０の一側部に取り付けたとき、両札片取付部４５ａ・４５ｂの重ね合わせ部分に位置するようにしてある。また、この札片５０を構成しているベースシート５１は矩形状に形成してあって、その長辺側が縦になるように、札片取付部４５ａ・４５ｂに貼付されるものであり、図２１の（ａ）に示した左右両側部分は、両札片取付部４５ａ・４５ｂのそれぞれに均等に貼付されるものである。
【００６５】
ここで、本実施形態では、アンテナ部５３と固定ネジ４８との位置関係が特徴的なものとなっている。そこで、以下に係る位置関係について詳細に説明する。
【００６６】
アンテナ部５３はベースシート５１の対角線上に設けられているから、その両端部は、図７に示すように、札片取付部４５ａ及び４５ｂにおいて、ネジ穴４８ａを避けるようにして配置されることになる。このようにアンテナ部５３が配置されることにより、アンテナ部５３の両端部は対応する固定ネジ４８の頭部から離れることになる。つまり、札片５０を札片取付部４５ａ・４５ｂに貼付したとき、アンテナ部５３と固定ネジ４８とは離間されることになる。
【００６７】
また、アンテナ部５３と固定ネジ４８との間には両者を介在する介在部材が設けられていない。つまり、アンテナ部５３と固定ネジ４８との間には空間が設けられている。これにより、アンテナ部５３がネジ穴４８ａ内に向けて撓みにくくなり、アンテナ部５３と固定ネジ４８の頭部とを対峙させた構成において両者を確実に離間させることができる。例えば、アンテナ部５３が固定ネジ４８に接触すると設定された共振周波数（本実施の形態では、２．４５ＧＨｚ）が変化してしまい、ＩＣチップ５２に格納されたＩＤ情報がスキャナ装置によって読み取れなくなるおそれがあるが、本実施の形態における構成によればかかる不都合の発生を防止することができる。
【００６８】
また、図７等に示した通り、各札片取付部４５ａ・４５ｂには囲み部が形成されており、ベースシート５１の周縁は囲み部に近接している。したがって、ベースシート５１の貼り付け作業に際しては、ベースシート５１が囲み部によって囲まれた領域内からはみ出ないように貼り付けることで、アンテナ部５３の両端部が、ネジ穴４８ａから離れ、固定ネジ４８の頭部からも離れる。また、札片取付部４５ａ・４５ｂの囲み部によって囲まれる領域は、ベースシート５１の面積よりも広くなっている。これにより、ベースシート５１の貼り付け作業に際しては、貼り付け位置に所定のゆとりが生まれ、貼り付け作業の作業性が向上されている。さらに、上記のとおり札片５０は矩形状のベースシート５１の中心に対して点対称となるように配置されているため、ベースシート５１を上下逆に貼り付けたとしても、アンテナ部５３の両端部が固定ネジ４８の頭部からはなれることになる。
【００６９】
また、この札片５０は、上記「背景技術」でも説明した通り、現在のところ、当該遊技機１００ごと、あるいは主制御装置のようなパチンコ遊技のための回路基板４０ｃごとに付された各種のＩＤ情報を有するものである。この各種のＩＤ情報としては、次の（１）〜（６）のようなものが現在採用されている。
（１）遊技盤用の証紙ラベルに記された遊技盤ＩＤ情報
遊技盤用の証紙ラベルは、例えば遊技盤に貼付され、遊技盤ＩＤ情報として遊技盤の製造メーカ名（例えば、（株）××物産）、遊技機製造番号（例えば、No.１２３４５６７）、及びそれらの各データを二次元コード化した押圧部４７ｂ取付解除部４７ｃコードが記されている。
（２）枠用の証紙ラベルに記された枠ＩＤ情報
枠用の証紙ラベルは、遊技盤等を開閉可能に支持する本体枠に貼付され、枠ＩＤ情報として本体枠の製造メーカ名（例えば、（株）××物産）、遊技機製造番号（例えば、No.１２３４５６７）、及びそれらの各データを二次元コード化した押圧部４７ｂ取付解除部４７ｃコードが記されている。
（３）識別シールに記された主基板ＩＤ情報
識別シールは、主制御装置等の回路基板を収納する基板ボックスに貼付され、（主）基板ＩＤ情報として製造メーカコード（例えば、札片５０ネジ穴４８ａ−ボックスベース４０ａ）、製造番号（例えば、No.１２３４５６７）、及びそれらの各データを二次元コード化した押圧部４７ｂ取付解除部４７ｃコードが記されている。
（４）識別シールに記された遊技機ＩＤ情報
識別シールは、主制御装置等の回路基板を収納する基板ボックスに貼付され、遊技機ＩＤ情報として製造メーカ名（例えば、（株）××物産）、機種名（例えば、××物語）、機種コード（例えば、１２３４５Ａ）、及びそれらの各データを二次元コード化した押圧部４７ｂ取付解除部４７ｃコードが記されている。
（５）ＩＣタグのタグＩＤ情報
ＩＣタグは、主制御装置等の回路基板を収納する基板ボックス等の封印シールに組み付けられ、タグＩＤ情報として製造メーカ名（又は複数のメーカごとに付されたメーカ固有番号）、遊技機固有のＩＤ番号が格納されている。
（６）マイコンチップに格納されたチップＩＤ情報
マイコンチップは、主制御装置等の回路基板に実装され、チップＩＤ情報としてチップ固有番号等が記憶されている。
【００７０】
換言すれば、基板ボックス４０の一側部に貼付される札片５０としては、図２１に示したようなものに限らず、（１）の「遊技盤用の証紙ラベル」、（２）の「枠用の証紙ラベル」、（３）及び（４）の「識別シール」、（５）の「ＩＣタグ」、そして、（６）の「マイコンチップ」が適用されるものである。
【００７１】
そして、この実施形態の遊技機１００で採用している札片５０は、図２１に示したようなアンテナ部５３付きのＩＣチップ５２を有しているものであったから、外部のスキャナーによって電磁波を照射したとき、ＩＣチップ５２に書き込まれている当該遊技機１００の識別情報や製造番号などの各種情報を、この札片５０に直接接触しなくてもスキャナーに伝達することができるものである。
【００７２】
上記ＩＣチップ５２が、メモリ領域としてデータ書き替え不可な不揮発性メモリ領域（アンテナ部５３ＯＭ）を有し、そのメモリ領域に前記識別情報を記憶保持させたものであれば、このＩＣチップ５２においてデータ書き換え不可のメモリ領域に識別情報が記憶保持されるため、識別情報が不正に改ざんされる等の不都合が抑制できる。
【００７３】
また、本実施例における遊技機１００のように、基板ボックス４０の一側部における分割部分（札片取付部４５ａ・４５ｂの間）を跨ぐようにして札片５０を貼り付ければ、基板基板４０ｃの取り出しや、基板ボックス４０内への不正な電子部品の装着などを目的として基板ボックス４０を開放する場合には、札片５０を一旦剥がしたり破損させなければならない。そのため、上記のとおり札片５０を破損させることに伴い、その後の札片５０の再使用を不可とすることができる。これにより、不正行為の発見が可能となる。
【００７４】
ところで、本実施形態の遊技機１００は、図４〜図７に示したように、基板ボックス４０の下側にスペーサボックス６０を介在させるようにしている。このスペーサボックス６０は、合成樹脂製のものであり、その表面側は図４に示したように略平面的なものであるが、その裏側は、図６に示したように、多数のリブを形成することによって、遊技盤２０側に向けて開口した多数の空間を有したものとしてある。これらのリブは、当該スペーサボックス６０に剛性を付与するとともに、中に物（例えば不正基板など）が入れられないようにするものである。
【００７５】
このスペーサボックス６０は、図４に示したように、ヒンジによって後述する球集合板７０に開閉自在に連結したものであり、このスペーサボックス６０を閉じたときには、図４にも示したように、その上側に、ヒンジ金具によって球集合板７０側に連結した基板ボックス４０を配置できるようにしたものである。
【００７６】
また、このスペーサボックス６０の表面側には、図３に示したように、係止部が突出形成してある。この係止部は、当該スペーサボックス６０の上に閉じられてきた基板ボックス４０を係止するものであり、これを右方向に押すことによって基板ボックス４０を開放し得るようにするものである。
【００７７】
さて、球集合板７０であるが、この球集合板７０は、遊技盤２０に形成してある入賞口から転動してきたパチンコ球を受けながら、その入賞を検知する各種スイッチを内蔵したものであり、周囲のベース板にて遊技盤２０側に取り付けられるものである。
【００７８】
そして、この実施形態の遊技機１００では、上記球集合板７０のベース板を遊技盤２０の裏面に取り付けるにあたって、ベース板と一体的に形成した止め部から挿通して遊技盤２０の裏面に螺着したビスの頭部をキャップで覆うようにしてある。
【００７９】
一方、ワイヤハーネス８０は、図３及び図４に示したように、遊技盤２０の裏面側であって、上述した基板ボックス４０や、その上側にある裏パックユニット３０等の間に接続されるものであり、概略遊技盤２０の裏面側の略中心部分に配置してある。つまり、このワイヤハーネス８０は、本体枠１１の回動中心である枢軸１２から離れた位置に存在するものである。
【００８０】
以上の結果、当該遊技機１００において使用されるワイヤハーネス８０が札片５０に近接しないことになり、当該遊技機１００を製造する際や、当該遊技機１００の設置店でのトラブル解消のため等に本体枠１１を開閉する際の、このワイヤハーネス８０の取り外し作業や接続作業を、札片５０には全く悪影響を与えずに行えるものである。
【００８１】
（第１実施例）
図７〜図１４には、本発明の第１実施例に係る遊技機１００において採用した札片切断部材４７が示してあるが、この札片切断部材４７は、図７に示した基板ボックス４０の一側部（図７では図示右側側部）に形成してある両札片取付部４５ａ・４５ｂの間に組み付けてある。そのため、この基板ボックス４０には、当該札片切断部材４７を収納できる空間が形成できるようになっている。
【００８２】
札片切断部材４７は、図７及び図８の各（ａ）に示したように、まず、その基部にネジ穴４７ｃを有しており、これらのネジ穴４７ｃには、両札片取付部４５ａ・４５ｂに形成してあるネジ穴４８ａを通されてきた固定ネジ４８が通されるものである。つまり、この札片切断部材４７は、両札片取付部４５ａ・４５ｂ間に形成した空間内に収納された後、これに形成してあるネジ穴４７ｃに通した固定ネジ４８を札片取付部４５ａまたは札片取付部４５ｂに螺着することにより、基板ボックス４０の一側部に組み付けられるのである。
【００８３】
また、この札片切断部材４７の基部の一側端縁には、図８の（ａ）に示したように、刃部４７ａが形成してあるが、この刃部４７ａは基部の全長に亘って形成してある。換言すれば、この刃部４７ａは、図２１に示したような札片５０の長辺方向の長さよりも十分長いものであり、札片５０のベースシート５１全体の切断が行えるようにしたものである。勿論、この刃部４７ａは、札片５０のベースシート５１全体の切断を一気に行うこともできるものであるが、後述するように、当該刃部４７ａを形成した札片切断部材４７を一個のピボット穴４７ｂまたはピボット軸４９を中心に揺動させることにより、ベースシート５１の切断を、例えば一端から順に全体に亘って確実に行えるようにすることもできるものである。
【００８４】
さて、本第１実施例の札片切断部材４７の下部にはピボット穴４７ｂが形成してあるが、このピボット穴４７ｂは、図８の（ａ）〜（ｄ）にて示したように、図示下側のネジ穴４７ｃより下側に形成してある。このピボット穴４７ｂには、図１１及び図１４に示したように、本実施例では札片取付部４５ｂの内側に一体的に形成したピボット軸４９が挿入されるのであり、これにより、当該札片切断部材４７は、図１１及び図１４の比較から分かるように、ピボット軸４９を中心に揺動することになる。勿論、この札片切断部材４７側のピボット穴４７ｂの札片取付部４５ｂ側のピボット軸４９への挿通は、当該札片切断部材４７を両札片取付部４５ａ・４５ｂ間に組み付ける前になされる。
【００８５】
本第１実施例に係る札片切断部材４７では、１２及び図１３に示したように、基部の上下に案内部４７ｄが形成してあり、この案内部４７ｄは、両札片取付部４５ａ・４５ｂ間への組み付けが隙間なく行えるようにしているとともに、当該札片切断部材４７を両札片取付部４５ａ・４５ｂ間から引き出す際の「取っかかり」ともなっている。
【００８６】
なお、カバー４６は、図７及び図９に示したように、基板ボックス４０の一側部にて札片切断部材４７を組み込んだ両札片取付部４５ａ・４５ｂの全体を包み込むような箱状のものであり、その一部は、図９の（ｃ）及び（ｄ）に示したように、開口させてある。また、このカバー４６の上下には、図９の（ａ）にも示したように、溝４６ａが形成してあるが、この溝４６ａ内には札片切断部材４７側の案内部４７ｄの一部が係合されることになる。
【００８７】
さて、以上のように構成した札片切断部材４７の作用を説明すると、この札片切断部材４７が、図１０、図１１及び図１２の（ｂ）に示したように、両札片取付部４５ａ・４５ｂの間に組み付けられた後に、図１２の（ａ）に示したように、札片５０が両札片取付部４５ａ・４５ｂの表面に貼付され、この札片５０を貼付した両札片取付部４５ａ・４５ｂの表面側には、図７の（ｂ）に示したように、カバー４６が嵌合されるのである。
【００８８】
ここで、基板ボックス４０内に収納してあった回路基板４０ｃを交換する必要性が発生した場合、この旧回路基板４０ｃを基板ボックス４０から取り出すとともに、当該旧回路基板４０ｃの各種情報を入れた旧札片５０を破棄し、新回路基板４０ｃ及び新札片５０を用意しなければならない。
【００８９】
特に、旧札片５０の破棄は重要で、この旧札片５０の情報が残ったままであると、その後のチェック時において、入れ替えた筈の新回路基板４０ｃの情報との食い違いが発生して、回路基板４０ｃや札片５０の入れ換えのやり直しや、再チェックをしなければならない等の不都合が発生する。一般に、入れ換え作業やチェック作業は、異なる場所や異なる人が行うのであるから、旧札片５０の旧情報が残っていることは、各所に大きな混乱を招く。
【００９０】
そこで、この回路基板４０ｃの交換時において、旧札片５０の破棄を旧情報が残存しないように確実にするのが、上述してきた札片切断部材４７なのである。この札片切断部材４７は、上述したように、両札片取付部４５ａ・４５ｂに貼付した札片５０に内包してあったから、当該札片切断部材４７の上下に設けてあった案内部４７ｄ等を利用して両札片取付部４５ａ・４５ｂ間から強制的に引き出せば、旧札片５０はこの札片切断部材４７の移動に伴って破断あるいは破損される。
【００９１】
特に、本第１実施例に係る札片切断部材４７においては、札片５０に向かう部分に刃部４７ａが形成してあったから、この札片５０の破断または破損はこの刃部４７ａによって容易に行われる。つまり、この札片切断部材４７は、指先の小さな力であっても、両札片取付部４５ａ・４５ｂの間から札片５０を破断しながら抜き出すことができるのであり、札片５０の破断や破損は勿論のこと、この札片５０がアンテナ部５３を有しているものである場合であっても、刃部４７ａによる札片５０の破断を小さな力によって行えるのである。
【００９２】
そして、本第１実施例に係る札片切断部材４７では、そのピボット穴４７ｂを札片取付部４５ｂ側に設けたピボット軸４９に嵌めて、当該札片切断部材４７がピボット穴４７ｂを中心にした揺動が行えるようになっているから、例えば図１３及び図１４に示すように、上側の案内部４７ｄに指か爪をかけて札片切断部材４７を引き出せば、札片５０の破断を軽く行いながら揺動し得ることになるのである。何故なら、札片５０の破断は、札片切断部材４７の揺動によって札片５０の端部から刃部４７ａによって順に行われることになるからである。
【００９３】
なお、新回路基板４０ｃに交換した後に、上述したのとは逆の順序の作業を行って、当該札片切断部材４７を両札片取付部４５ａ・４５ｂ間に組み込み、両札片取付部４５ａ・４５ｂの外側に新札片５０を貼付すれば、回路基板とその札片５０の交換が完了することは言うまでもない。
【００９４】
（第２実施例）
図１５〜図２０には、本発明の第２実施例に係る遊技機１００の一側部が示してあり、この遊技機１００は、指掛け部４７ｅを有する札片切断部材４７を採用したものである。この札片切断部材４７は、上記第１実施例に係るそれと実質的に同じ構造を有するものであるが、指掛け部４７ｅを有する他、図１６に示したように、ピボット穴４７ｂを第１実施例におけるそれより大きく形成した点が異なっているものである。これらの指掛け部４７ｅ及びピボット穴４７ｂ以外の部分は、図１５〜図２０中に第１実施例において使用したのと同じ符号を付して、その説明は省略する。
【００９５】
この第２実施例における札片切断部材４７のピボット穴４７ｂは、図１６及び図１７に示したように、例えば札片取付部４５ａ側に一体的に形成したピボット軸４９に貫挿されるものであり、一方、指掛け部４７ｅは、札片切断部材４７の基部の上端に一体化されるものである。特に、指掛け部４７ｅは、図１５にも示したように、溝４６ａと小窓４６ｄを通してカバー４６から突出するものであり、指が掛けやすく穴を形成するか、指で摘み易くするために薄く形成したものである。
【００９６】
一方、当該札片切断部材４７のピボット穴４７ｂは、例えば札片取付部４５ｂ側のピボット軸４９に対して回動可能にしてあって、上記第１実施例におけるのと同様に、札片切断部材４７全体の揺動を可能にするものである。つまり、この第２実施例における札片切断部材４７は、図１５から図１８の状態にピボット穴４７ｂを中心にした揺動が可能になっている。
【００９７】
また、カバー４６は、前述した溝４６ａと小窓４６ｄから指掛け部４７ｅを突出させるために、上記第１実施例におけるそれとは異なって、図１９及び図２０に示したように形成してある。つまり、このカバー４６の前面（図１９では図示右側面）には、図１９の上から順に、小窓４６ｄ、溝４６ａ、そして大窓４６ｂが形成してあり、このカバー４６の側面（図１９で現れている面）には、固定ネジ４８が挿通できる挿通孔４６ｃが形成してある。
【００９８】
カバー４６の溝４６ａは、指掛け部４７ｅを使用して引き出される札片切断部材４７の基部、及びこれに形成してある案内部４７ｄを、当該カバー４６を両札片取付部４５ａ・４５ｂから外さないでも外部へ出せるようにするものであり、札片切断部材４７が引き出されないときには、図１６の（ａ）に示したように、札片切断部材４７を内包した状態で両札片取付部４５ａ・４５ｂ表面に貼付された札片５０の一部を外部に望ませることになるものでもある。
【００９９】
この溝４６ａの上部にて開口している小窓４６ｄは、札片切断部材４７の上端にある案内部４７ｄを回避できるようにするものであり、溝４６ａの下部に開口している大窓４６ｂは、同じく揺動時の札片切断部材４７の下部を回避できるようにするものである。
【０１００】
また、このカバー４６の内側下部には、図２０にて示したように、係止部４６ｅが形成してあり、この係止部４６ｅは、当該カバー４６を両札片取付部４５ａ・４５ｂに嵌合したとき、例えば札片取付部４５ｂ側の係止部に係合させることにより、当該カバー４６の両札片取付部４５ａ・４５ｂへの取り付けが行えるようにしてある。なお、図１９及び図２０に示したように、この係止部４６ｅの上下にスリットが形成してあって、これらの両スリットによって、当該係止部４６ｅ自体がカバー４６に対して弾性を有するようになっている。
【０１０１】
そして、このカバー４６の側面（図１９で現れている面）に、固定ネジ４８が挿通できる挿通孔４６ｃを形成したのは、図１８にも示したように、基板ボックス４０内の回路基板４０ｃを交換する際に、外した固定ネジ４８を取り出すためである。
【０１０２】
さて、この第２実施例においても、回路基板４０ｃを収納した基板ボックス４０の一側部においては、図１５及び図１６に示したように、上記カバー４６が取り付けられるのであるが、その前に、札片切断部材４７が組み付けられた両札片取付部４５ａ・４５ｂの表面に、これらの隙間を跨ぐように札片５０が貼付されるのであり、結果的に、札片切断部材４７は札片５０に内包された状態にされる。
【０１０３】
この基板ボックス４０内の回路基板４０ｃの交換を行う場合には、両札片取付部４５ａ・４５ｂを連結している固定ネジ４８を外してから、指掛け部４７ｅを引くことによって札片５０の破断を行うのである。このとき、指掛け部４７ｅは、カバー４６から外部に突出しているのであるから、これの摘みあるいは指掛けが行えて、当該指掛け部４７ｅの引き出しが容易に行える。
【０１０４】
この指掛け部４７ｅの引き出しにあたっては、本第２実施例においても札片取付部４５ｂ側のピボット軸４９に貫挿されるピボット穴４７ｂによって当該札片切断部材４７全体が揺動するようになっているのであるから、この札片切断部材４７の揺動の際に札片５０の破断がなされるのである。
【０１０５】
しかも、電気が通るワイヤハーネス８０が札片５０から離れているから、札片５０からの情報の読み出しは、ワイヤハーネス８０から悪影響を受けることなく正確に行えるのである。
【符号の説明】
【０１０６】
１００    遊技機
１０    外枠
１１    本体枠
１２    枢軸
１３    前面枠
２０    遊技盤
３０    裏パックユニット
３１    ベース部材
４０    基板ボックス
４０ａ  ボックスベース
４０ｂ  ボックスカバー
４０ｃ  回路基板
４１    ベース部材
４２    ヒンジ金具
４３    第１封止部
４４    第２封止部
４５ａ  札片取付部
４５ｂ  札片取付部
４５ｃ  係止部
４５ｄ  凹所
４６    カバー
４６ａ  溝
４６ｂ  大窓
４６ｃ  挿通孔
４６ｄ  小窓
４６ｅ  係止部
４７    札片切断部材
４７ａ  刃部
４７ｂ  ピボット穴
４７ｃ  ネジ穴
４７ｄ  案内部
４７ｅ  指掛け部
４８    固定ネジ
４８ａ  ネジ穴
４９    ピボット軸
５０    札片
５１    ベースシート
５２    ＩＣチップ
５３    アンテナ部
６０    スペーサボックス
６１    ハーネス収納凹部
７０    球集合板
８０    ワイヤハーネス
【図１】
0005516687.tif 000002
【図２】
0005516687.tif 000003
【図３】
0005516687.tif 000004
【図４】
0005516687.tif 000005
【図５】
0005516687.tif 000006
【図６】
0005516687.tif 000007
【図７】
0005516687.tif 000008
【図８】
0005516687.tif 000009
【図９】
0005516687.tif 000010
【図１０】
0005516687.tif 000011
【図１１】
0005516687.tif 000012
【図１２】
0005516687.tif 000013
【図１３】
0005516687.tif 000014
【図１４】
0005516687.tif 000015
【図１５】
0005516687.tif 000016
【図１６】
0005516687.tif 000017
【図１７】
0005516687.tif 000018
【図１８】
0005516687.tif 000019
【図１９】
0005516687.tif 000020
【図２０】
0005516687.tif 000021
【図２１】
0005516687.tif 000022